(57)【特許請求の範囲】
【請求項１】
ライセンスランプの取付孔を有して少なくとも下面部を透明にした空洞体でライセンスプレート用ランプケースを形成し、該ランプケースがブロー成形される中空のガーニッシュ体と一体化されてなることを特徴とするランプケース一体ガーニッシュ。
【請求項２】
前記ランプケースは、一側面側が開口の碗状体と該碗状体の開口側に蓋をし得る板体とを具備し、前記開口に板体で蓋をし両者を組み付けたものである請求項１記載のランプケース一体ガーニッシュ。
【請求項３】
ブロー成形で形成された中空のガーニッシュ体を備え、該ガーニッシュ体の裏面にライセンスランプ用取付孔をもつ側面視ほぼＬ形の樹脂製屈曲体を被せて一体化し、該屈曲体と前記ガーニッシュ体とでライセンスプレート用ランプケースが形成されるようにしたことを特徴とするランプケース一体ガーニッシュ。
【発明の詳細な説明】
【０００１】
【発明の属する技術分野】
本発明は、車両のライセンスプレート近くの上方位置に配設されるランプケース一体ガーニッシュに関する。
【０００２】
【従来の技術】
ワンボックスカーＭ等の後部でライセンスプレート９の上方位置には、図４のごとく、該ライセンスプレート９の夜間照明用ランプを組み込み、且つ手をかけてバックドアを開けれるよう把手８９の機能をも併用させたガーニッシュ８（通称、ライセンスプレートガーニッシュと呼ばれている。）が存在する。
こうしたガーニッシュ８は、従来、例えば図７のような部品を組み立てて製作してきた。ボディ固定用のスクリュー６１，クリップ６２等、及びライセンスプレートランプ固定用の座８１が設けられたガーニッシュ本体８ａを射出成形で造り、このガーニッシュ本体８ａにスクリュー６１を使ってランプケース８ｂを取付ける。さらに、図８のようにランプケース８ｂとガーニッシュ本体８ａとの僅かな隙間から漏れ出したラン５の光がガーニッシュ本体外へ光漏れを起さぬよう、ガーニッシュ本体８ａの上縁にプロテクタ８ｃを装着してガーニッシュを組み立てるのである。
【０００３】
【発明が解決しようとする課題】
しかるに、従来品は構成部品が多くコスト高になっていた。さらに、補強リブ８７があっても、インジェクション成形のため剛性がなく、バックドアを開ける時にガーニッシュ本体８ａが変形し易かった。剛性を確保しようとリブを追加すると、ヒケが発生し、また、取付けボルト，クリップ等の座８２を設ける必要があり、座による引けも発生し易かった。
【０００４】
本発明は上記問題点を解決するもので、部品点数が少なく高剛性にして変形の少ないランプケース一体ガーニッシュを提供することを目的とする。
【０００５】
【課題を解決するための手段】
上記目的を達成すべく、請求項１に記載の発明の要旨は、ライセンスランプの取付孔を有して少なくとも下面部を透明にした空洞体でライセンスプレート用ランプケースを形成し、該ランプケースがブロー成形される中空のガーニッシュ体と一体化されてなることを特徴とするランプケース一体ガーニッシュにある。
請求項２のランプケース一体ガーニッシュは、請求項１で、ランプケースは、一側面側が開口の碗状体と該碗状体の開口側に蓋をし得る板体とを具備し、前記開口に板体で蓋をし両者を組み付けたものであることを特徴とする。
請求項３に記載の発明の要旨は、ブロー成形で形成された中空のガーニッシュ体を備え、該ガーニッシュ体の裏面にライセンスランプ用取付孔をもつ側面視ほぼＬ形の樹脂製屈曲体を被せて一体化し、該屈曲体と前記ガーニッシュ体とでライセンスプレート用ランプケースが形成されるようにしたことを特徴とするランプケース一体ガーニッシュにある。ここで、「側面視ほぼＬ形」には側面視∠形や側面視Ｊ形を含む。
【０００６】
請求項１のごとく、ランプケースをインサート品として配しブロー成形により中空のガーニッシュ体を一体成形すると、ランプケースを取付けるためのスクリュー等の部品がいらなくなり、部品点数を減らすことができる。そして、中空のガーニッシュ体が形成されるので、板状の射出成形品より高剛性にして強度が大になる。また、請求項２のごとく、碗状体の開口側に蓋をし得る板体を備え、開口に板体で蓋をし、碗状体と板体とを組み付けてライセンスプレート用ランプケースを形成すると、ランプケース自体を簡素化でき、製造及び組み付けが容易になる。
請求項３のように、側面視ほぼＬ形の屈曲体とガーニッシュ体とでライセンスプレート用ランプケースが形成されるようにすると、ランプケースの一部をガーニッシュ体に担わせることができるので、より簡素化，低コスト化が図れる。
【０００７】
【発明の実施の形態】
以下、本発明に係るランプケース一体ガーニッシュについて詳述する。
（１）実施形態１
図１〜図５は、本発明のランプケース一体ガーニッシュの一形態で、図１はその斜視図、図２は図１のＡ−Ａ線矢視図、図３は開口を上向きにした碗状体と板体の斜視図、図４はランプケース一体ガーニッシュが取付けられる車両の斜視図、図５は他態様のランプケース一体ガーニッシュの横断面図で、図２に対応するものである。
【０００８】
本ランプケース一体ガーニッシュＰは、ライセンスプレート９を照射するライセンスランプ５を備えると共に、手をかけて車両バックドアの開閉用把手の機能も合わせもつ通称ライセンスプレートガーニッシュと呼ばれるもので、該ガーニッシュにライセンスプレート用ランプケース１を一体成形させている。ランプケース一体ガーニッシュＰは車両後部のライセンスプレート９の上方周辺に配設される（図４参照）。
碗状体２と板体３を組み付けてランプケース１が形成され、該ランプケース１をインサート品として配してブロー成形により中空Ｓのガーニッシュ体４すなわちライセンスプレートガーニッシュ（ガーニッシュ）が造られている。
【０００９】
碗状体２は、図３のような碗状又は皿状で窪みのある上面開口容器を起立させて、図２ごとく一側面側が開口の湾曲体２ａになっている。図２と図３とでは多少外形が異なるが、碗状又は皿状で窪みがある基本構成は同じである。斜面部２１と下面部２２と側板部２４で碗部を形成するが、ここでは、図２のごとく碗状体２を側面視ほぼ∠形にして、さらにその上下端縁から外方へ張り出す鍔２３，２３を一体形成した湾曲体２ａとする。該鍔２３は、ランプケース１をインサート成形でガーニッシュ体４に一体化させる際、ガーニッシュ体４内に部分埋設されて両者の一体化を強固にする役目を担う。符号２５は斜面部２１に設けられる取付孔で、該取付孔２５を利用してライセンスランプ５がランプケース１内に挿着される。当初の湾曲体２ａは透明樹脂で形成されるが、その斜面部２１の面は後加工で銀色塗装等で遮蔽される。ランプケース１内に収納されるランプ５から発する光は、該下面部２２を通じてライセンスプレートを照射する。
【００１０】
板体３は碗状体２の開口Ｏ側に蓋ができる所定大きさのプレートで、詳しくは前記湾曲体２ａの∠形の開口側に蓋ができる平板３ａとなっている。該平板３ａは少なくともランプ収納空間Ｇに面する内面側が高反射率になっているものが望ましい。高反射率の平板３ａとは例えば金属の薄板や樹脂製シート板等の内面側に反射率の高い銀色或いは白色等の塗装を施したもので、一般品より高反射率のものをいう。
本実施形態は平板３ａとして銀色の金属光沢があり、反射率の高い金属製薄板を用いる。平板３ａの大きさは図２のごとく開口Ｏの大きさにほぼ等しく、該開口Ｏに蓋をし，両者を組み付けて空洞体のランプケース１が形成される。平板３ａで蓋したとき、その側縁が湾曲体２ａの側板部２４に当接し、また斜めカットされた平板３ａの下縁３ａ1が湾曲体２ａの下面部２２に嵌まり込んでランプケース１の空間Ｇが確保される。該平板３ａはブロー成形でガーニッシュ体４を形成するときのライセンスランプ５の空間Ｇを確保するものであり、平板３ａが樹脂の巻き込み防止の裏板となる。かくして、斜面部２１にランプ挿着用の取付孔２５が設けられ、側面視ほぼ三角形の空間Ｇがあるランプケース１が出来上がる。
【００１１】
前記湾曲体２ａの開口Ｏに板体３で蓋をして湾曲体２ａと平板３ａが組み付けられたランプケース１は、平板３ａ側をガーニッシュ体用キャビティに向けてブロー型内にインサート品として配される。そうして、図２のごとく中空Ｓのガーニッシュ体４をブロー成形し、ランプケース一体のガーニッシュ体４を形成する。成形されたガーニッシュ体４の意匠面４１と反対の背面側にランプケース１の斜面部２１が現われる。ガーニッシュ体４は従来の図７のガーニッシュ８に匹敵するものであるが横断面が板状でなく中空体となる。ブロー成形時に、ボディ固定用のスクリュー６１やクリップも同じくインサートして一体成形すればより好ましくなる（図１）。図７のようなボディ固定用の座８２を設ける必要がなく、且つスクリュー６１等を取付ける手間もなくなるからである。また、ブロー成形時に、ライセンスランプ用の取付孔２５を利用して平板３ａを受け支えてやると、より確実にライセンスランプ５用空間Ｇをつくることができ好適となる。
ランプケース１と一体化したガーニッシュ体４の中央部分には、手を掛けてバックドアを開け閉めできる把手部４２が形成される。ガーニッシュ体４は車両本体と同色の着色樹脂を用いてブロー成形されるが、後から車両本体と同色塗装をその意匠面に施すことも勿論できる（図２）。
【００１２】
ブロー成形を終え、ランプケース１にガーニッシュ体４が文字どおり一体化したランプケース一体ガーニッシュＰは、下面部２２をマスキング（治具又はテープ等が使われる。）して、図２のように斜面部２１の外面が塗装される。該斜面部２１に銀色，白色等の塗装がなされることにより、斜面部２１から外へランプ５の光が漏れ出すのを防止すると同時に光の反射率を高めてライセンスプレートへのランプ５の照射度合を強めることができる。
斜面部２１への塗装は、ブロー成形前で、ランプケース１を組み付けた段階で行ってもよいが、前述のごとくランプケース１とガーニッシュ体４を一体化させた後に行う方が作業的に実施し易い。また、組み立て工程で塗装膜に傷をつけたりする虞れもなく好都合でもある。側板部２４についてはガーニッシュ体４で覆われており、ここから外へランプ５の光が漏れ出すことがないので、本実施形態では特に塗装していない。こうして、図２ごとくの所望のランプケース一体ガーニッシュＰが完成する。
【００１３】
図５は他態様のランプケース一体ガーニッシュで、図２に対応する横断面図である。図５では、透明樹脂等を用いブロー成形により空洞体のランプケース１を形成し、これをインサートして中空Ｓのガーニッシュ体４をブロー成形することによって該ガーニッシュ体４とランプケース１とを一体化させたものである。ランプケース１の空間Ｇ（ランプ光源の収納空間）が、該ランプケースのブロー成形を終えた段階で形成される。ランプケース１の少なくとも下面部１２は透明樹脂のままとされる。ランプケース１を一度に形成するので、碗状体２と板体３との組み立てがいらず、ランプケース１の製造が簡略化される。
【００１４】
（２）実施形態２
本実施形態のランプケース一体ガーニッシュは、図６に示すようにブロー成形で形成された中空Ｓのガーニッシュ体４の裏面４５に、ライセンスランプ用取付孔７５をもつ側面視ほぼＬ形の透明樹脂製屈曲体７を被せて一体化し、該屈曲体７とガーニッシュ体４とでライセンスプレート用ランプケース１を形成するものである。
【００１５】
具体的には、ガーニッシュ体４を造った後、これに後加工で屈曲体７を取付けることになる。まず、有色樹脂材料を用いて中空のガーニッシュ体４をブロー成形で形成する。次いで、該ガーニッシュ体４のランプケース１が設置されるところの平面視コ字形の窪み箇所４９に図６ごとくの側面視ほぼＬ形の樹脂製屈曲体７を被せる。屈曲体７は図示のごとく斜面図７１と下面部７２とで側面視ほぼＬ形に屈曲し、さらに斜面部７１の上縁７３ａと下面部７２の下縁７３ｂ（下面部の先端縁）に一段下がった段差部が設けられている。この両段差部が窪み箇所４９の上部と下部に当接するところとなり、その後、屈曲体７の上縁７３ａ及び下縁７３ｂを熱溶着等でガーニッシュ体４に一体化させる。
【００１６】
本ランプケース１では図２における板体３の部分及び図３における側板２４の部分を窪み箇所４９のガーニッシュ体４の裏面４５が担う。ガーニッシュ体４と屈曲体７が一体化した後、下面部７２が図２と同じようにマスキングされて、これ以外の斜面部７１等が適宜塗装され、所望のランプケース一体ガーニッシュが出来上がる。
なお、図６は図２に対応する横断面図で、他の構成等は実施形態１と同様とし、その説明を省く。図１〜図５と同一符号は実施形態１のものと同一または相当部分を示している。
【００１７】
このように構成したランプケース一体ガーニッシュＰは、ランプケース１がインサート成形でガーニッシュ体４に組み込まれるので、従来のようにランプケース１を取付けるためのスクリュー６１や、またガーニッシュ側に座８１を設ける必要がなくなる。勿論、ガーニッシュ体４にスクリュー６１でランプケース１を取着する手間もいらない。部品点数が減る。鍔２３を設け、この部分をガーニッシュ体４に埋設させることによって、ランプケース１とガーニッシュ体４をより確実に一体化できる。さらに、ボディ固定用のスクリュー６１やクリップ６２等もインサートしてガーニッシュ体４をブロー成形すれば、これらを取付けるための座や、またこれらを取付ける手間も不要となりより簡便化される。車両に本ランプケース一体ガーニッシュＰを組付けるための部品点数は大幅に減る。
そして、ガーニッシュ体４がブロー成形で造られるので、横断面中空パイプ状体となって、同じ厚みでも剛性が高くなり変形が抑えられ強度アップする。バックドアを開ける時のガーニッシュ体４の変形を抑えることができ、ガーニッシュ本体が変形し易かった従来品（射出成形品）の問題は解消される。
また、ランプケース１が碗状体２と板体３とで構成されると、ライセンスランプハウジングの簡素化が可能で低コスト化が進む。製作のみならず組み付けが楽になる。と同時に、板体３が碗状体２と当初は別体であるので、該板体３に照射率の高い金属板や高反射率の銀色塗装等を終えた樹脂板等を用いることにより、ライセンスランプ５を照らす威力を効果的に高めることができる。ランプケース１のインサート成形後に斜面部２１のみを塗装すれば、所望のランプケース一体ガーニッシュＰが出来上がる。ライセンスランプ５は照射側の下面部２２を除きガーニッシュ体４の着色樹脂及び斜面部２１の塗装により完全に隠されるので、従来のように光漏れすることがない。図５のプロテクタ８ｃを廃止できる。
【００１８】
さらに、実施形態２のごとくのランプケース一体ガーニッシュは図２における板体３が不要となるので、実施形態１のものより一層簡素化，低コスト化が進む。また、図２のランプケース一体ガーニッシュの場合のようにインサート成形でないため、屈曲体７は湾曲体２ａにおける側板部２４が要らなくなり、この点からも更なる簡素化，低コスト化が可能になっている。
【００１９】
尚、本発明においては、前記実施形態に示すものに限られず、目的，用途に応じて本発明の範囲で種々変更できる。ランプケース１，碗状体２，板体３，ガーニッシュ体４，ランプ５等の形状，大きさ，個数，材質等は用途に合わせて適宜選択できる。
【００２０】
【発明の効果】
以上のごとく、本発明のランプケース一体ガーニッシュは、ランプケースがガーニッシュ体とスクリュー部品等なしで一体化して造られ、部品点数が少なくなるばかりか、ブロー成形で中空体の高剛性にして変形の少ないガーニッシュ体が出来上がるので、バックドアを開けるときに支障をきたさず優れた効果を発揮する。
【図面の簡単な説明】
【図１】実施形態１のランプケース一体ガーニッシュのの斜視図である。
【図２】図１のＡ−Ａ線矢視図である。
【図３】開口を上向きにした碗状体と板体の斜視図である。
【図４】ランプケース一体ガーニッシュが取付けられる車両の斜視図である。
【図５】別態様のランプケース一体ガーニッシュで、図２に対応する横断面図である。
【図６】実施形態２のランプケース一体ガーニッシュの横断面図である。
【図７】従来技術の説明斜視図である。
【図８】従来技術の説明斜視図である。
【符号の説明】
１            ランプケース
２            碗状体
２ａ          湾曲体
２２          下面部
２３          鍔
２５          取付孔
３            板体
３ａ          平板
４            ガーニッシュ体
４５          裏面
５            ランプ（ライセンスランプ）
７            屈曲体
７５          取付孔
Ｏ            開口
Ｐ            ランプケース一体ガーニッシュ
【図１】
0004236020.tif 000002
【図２】
0004236020.tif 000003
【図３】
0004236020.tif 000004
【図４】
0004236020.tif 000005
【図５】
0004236020.tif 000006
【図６】
0004236020.tif 000007
【図７】
0004236020.tif 000008
【図８】
0004236020.tif 000009